(57)【要約】【課題】外観をさらに良好にすることが可能なキャップ及びキャップ付容器を提供すること。【解決手段】口部に装着される装着筒部２１を有し、容器の内部と連通する注出口３２Ａが形成された本体筒部と、本体筒部１１に装着され、注出口３２Ａを開閉する蓋体部１２と、蓋体部１２の外周面に容易破断部４３を介して接続された被覆筒部１３と、を備え、装着筒部２１が口部に装着された状態で、口部に突設されたネックリング部が外部に露出されると共に、被覆筒部１３を押し込みつつ容易破断部４３を破断させたときに、ネックリング部が被覆筒部１３によって径方向の外側から被覆される。【選択図】図１
2010274961.tif 000002
【特許請求の範囲】
【請求項１】
容器の口部に押し込まれて装着されるキャップであって、
前記口部に装着される装着筒部を有し、前記容器の内部と連通する注出口が形成された本体筒部と、
前記本体筒部に装着され、前記注出口を開閉する蓋体部と、
前記蓋体部の外周面に容易破断部を介して接続された被覆筒部と、を備え、
前記装着筒部が前記口部に装着された状態で、前記口部に突設されたネックリング部が外部に露出されると共に、前記被覆筒部を押し込みつつ前記容易破断部を破断させたときに、前記ネックリング部が前記被覆筒部によって径方向の外側から被覆されることを特徴とするキャップ。
【請求項２】
前記被覆筒部が、前記ネックリング部を被覆した状態で、前記装着筒部に外嵌されることを特徴とする請求項１に記載のキャップ。
【請求項３】
前記蓋体部が、前記本体筒部に螺着されており、
前記装着筒部の外周面には、第１係合部が設けられ、
前記被覆筒部の内周面には、前記第１係合部と係合する第２係合部が設けられており、
前記第１及び第２係合部の係合が、前記装着筒部と前記被覆筒部との相対的な回転を防止することを特徴とする請求項１または２に記載のキャップ。
【請求項４】
請求項１から３のいずれか１項に記載のキャップと、
前記口部を有する容器と、を備えることを特徴とするキャップ付容器。
【発明の詳細な説明】
【技術分野】
【０００１】
本発明は、キャップ及びキャップ付容器に関するものである。
【背景技術】
【０００２】
例えば、容器の口部に打栓することによって装着されて容器内に連通する注出口が形成された本体筒部と、本体筒部に着脱自在に装着される蓋体部と、を備えるキャップが用いられている。このような容器の口部の下側には、キャップの打栓時にキャップに加わる力によって容器が変形することを防止するためにネックリング（ネックリング部）と称される部位が設けられている。そして、打栓時には、このネックリング部の下側を打栓用の治具で支持することによって容器に加わる力を低減している。
【先行技術文献】
【特許文献】
【０００３】
【特許文献１】実用新案登録第２６００４８１号公報
【発明の概要】
【発明が解決しようとする課題】
【０００４】
しかしながら、上記従来のキャップにおいても、キャップの容器への打栓後にネックリング部が外部に露出するため、さらに良好な外観を得ることが望まれている。
本発明は、前述の課題に鑑みてなされたもので、外観をさらに良好にすることが可能なキャップ及びキャップ付容器を提供することを目的とする。
【課題を解決するための手段】
【０００５】
本発明は、上記のような課題を解決するために以下のような手段を採用した。すなわち、本発明のキャップは、容器の口部に押し込まれて装着されるキャップであって、前記口部に装着される装着筒部を有し、前記容器の内部と連通する注出口が形成された本体筒部と、前記本体筒部に装着され、前記注出口を開閉する蓋体部と、前記蓋体部の外周面に容易破断部を介して接続された被覆筒部と、を備え、前記装着筒部が前記口部に装着された状態で、前記口部に突設されたネックリング部が外部に露出されると共に、前記被覆筒部を押し込みつつ前記容易破断部を破断させたときに、前記ネックリング部が前記被覆筒部によって径方向の外側から被覆されることを特徴とする。
【０００６】
この発明では、キャップを口部に打栓して装着した後に容易破断部を破断することによって被覆筒部がネックリング部を被覆するため、キャップが装着された容器の外観をさらに良好にすることができる。
すなわち、容器の口部にキャップを打栓して装着するときに被覆筒部がネックリング部を露出させているので、キャップの打栓時に治具を用いてネックリング部を支持しても、被覆筒部によってキャップの打栓が阻害されることを回避できる。そして、キャップの打栓後に容易破断部を破断して被覆筒部を装着筒部の外周面に沿って移動させることで、ネックリング部は、被覆筒部によって覆われて外部に露出しなくなる。このとき、容易破断部を破断するために加える力がキャップを打栓するときにキャップに加える力よりも小さいため、治具でネックリング部を支持する必要がなくなり、容易破断部の破断時に加えられる力によって容器が変形することを回避できる。
以上より、キャップが装着された容器の外観がさらに向上する。
【０００７】
また、本発明のキャップは、前記被覆筒部が、前記ネックリング部を被覆した状態で、前記装着筒部に外嵌されることが好ましい。
この発明では、被覆筒部が装着筒部に外嵌されることによって装着筒部をネックリング部に向けて押圧するため、キャップを口部により強固に装着できる。
【０００８】
また、本発明のキャップは、前記蓋体部が、前記本体筒部に螺着されており、前記装着筒部の外周面には、第１係合部が設けられ、前記被覆筒部の内周面には、前記第１係合部と係合する第２係合部が設けられており、前記第１及び第２係合部の係合が、前記装着筒部と前記被覆筒部との相対的な回転を防止することが好ましい。
この発明では、キャップを容器に装着した後に蓋体部を本体筒部から取り外すときに、被覆筒部が蓋体部と共に回転することを防止する。これにより、例えば一方の手で蓋体部を把持し、他方の手で容器を把持する必要なく被覆筒部を把持した状態で、蓋体部の取り外しを行うことができる。
【０００９】
また、本発明のキャップ付容器は、上記記載のキャップと、前記口部を有する容器と、を備えることを特徴とする。
この発明では、上述したキャップを備えることによってネックリング部が露出しないため、キャップ付容器の外観をさらに向上させることができる。
【発明の効果】
【００１０】
この発明にかかるキャップ及びキャップ付容器によれば、キャップを口部に装着した後に容易破断部を破断して被覆筒部でネックリング部を被覆することで、キャップが装着された容器の外観をさらに良好にすることができる。
【図面の簡単な説明】
【００１１】
【図１】本発明の一実施形態におけるキャップを示す部分断面図である。
【図２】図１のキャップを容器に装着する工程を示す説明図である。
【図３】同じく、図１のキャップを容器に装着する工程を示す説明図である。
【発明を実施するための形態】
【００１２】
以下、本発明によるキャップ及びキャップ付容器の一実施形態を、図面に基づいて説明する。なお、以下の説明に用いる各図面では、各部材を認識可能とするために縮尺を適宜変更している。
本実施形態におけるキャップ１は、図１に示すように、例えばＰＥ（ポリエチレン）、ＰＰ（ポリプロピレン）などの樹脂材料で形成されており、本体筒部１１と、蓋体部１２と、被覆筒部１３と、を備えている。そして、キャップ１は、図２及び図３に示すように、後述する容器５１の口部５２に装着される。
図示の例では、本体筒部１１、蓋体部１２及び被覆筒部１３は、共通軸上に配置されている。以下、この共通軸をキャップ軸Ｏと称し、キャップ軸Ｏに沿って蓋体部１２側を上側、本体筒部１１側を下側とし、キャップ軸Ｏに直交する方向を径方向とし、さらにキャップ軸Ｏを中心に周回する方向を周方向とする。
【００１３】
本体筒部１１は、装着筒部２１と、栓体部２２と、を備えている。
装着筒部２１は、口部５２に被着される筒状部材である。そして、装着筒部２１は、口部５２の外側に嵌合される外筒部２５と、口部５２の内側に嵌合される内筒部２６と、を有する。
外筒部２５は、円筒状をなしており、その上端部が環状部２７を介して内筒部２６の上下方向の中央部における外周面に接続されている。また、外筒部２５の外周面には、上下方向に延在する凸条部（第１係合部）２８が周方向に沿って複数形成されている。
内筒部２６は、円筒状をなしており、外筒部２５よりも上側に突出する部分の外周面には、雄ネジ部２６Ａが形成されている。
【００１４】
栓体部２２は、連結筒部３１と、隔壁部３２と、プルリング３３と、を備えている。
連結筒部３１は、円筒状をなしており、下端が内筒部２６の下端よりも上側にあり、上端が内筒部２６の上端よりも上側にある。そして、連結筒部３１の上側部分の外周面には、内筒部２６の上端部が接続されている。また、連結筒部３１の上端部は、径方向外側に向けて反っている。
【００１５】
隔壁部３２は、平面視でほぼ円形をなしており、その外周が全周にわたって連結筒部３１の内周面に接続されて連結筒部３１の内側を閉塞する。また、隔壁部３２の外周部よりも若干径方向の内側には、容器５１の内部と連通する注出口３２Ａが形成されている。
この注出口３２Ａは、封止板３４によって密閉されており、図示の例において封止板３４の外周縁と注出口３２Ａの開口周縁部とは、全周にわたって薄肉部３５を介して連結されている。
プルリング３３は、封止板３４の外周縁部に接続されており、指などを掛けることが可能となっている。
【００１６】
蓋体部１２は、注出口３２Ａを開閉可能に本体筒部１１に着脱自在に螺着される有頂筒状部材であり、天板部４１と、周壁部４２と、を備えている。
天板部４１は、平面視でほぼ円形をなしており、径方向の外周縁が周壁部４２の上端に接続されている。また、天板部４１の下面には、下側に向けて突出する筒状凸部が設けられている。筒状凸部の下端は、蓋体部１２を本体筒部１１に螺着させたときに連結筒部３１の上端部の内周面に当接する。
周壁部４２は、筒状をなしており、下側部分の内周面には、雄ネジ部２６Ａと螺合する雌ネジ部４２Ａが形成されている。また、周壁部４２の下端は、蓋体部１２を本体筒部１１に螺着したときに環状部２７の上面に当接する。さらに、周壁部４２の上側部分の外周面には、上下方向に延在して蓋体部１２の螺合及び螺合解除する際の滑り止めとして機能する凸部が全周にわたって複数形成されている。
【００１７】
被覆筒部１３は、筒状をなしており、上端部の内周面が容易破断部４３を介して周壁部４２の上下方向の中間部における外周面に接続されている。また、被覆筒部１３の上端は、径方向内側に向けて若干突出している。さらに、被覆筒部１３の内周面には、上下方向に沿って延在して凸条部２８と係合する溝条部（第２係合部）４４が全周にわたって形成されている。
被覆筒部１３の下端は、装着筒部２１の下端よりも下側に突出しているが、キャップ１を容器５１の口部５２に装着した際に後述するネックリング部５３を露出させる程度となっている。
容易破断部４３は、薄肉部３５と同様に、天板部４１などよりもその厚さを小さくすることによって形成されており、被覆筒部１３の上端において全周にわたって形成されている。
【００１８】
以上のような構成のキャップ１は、図２及び図３に示すようなキャップ付容器５０のキャップとして用いられる。このキャップ付容器５０は、上述したキャップ１と、容器５１と、を備えている。容器５１の口部５２には、開口端５２Ａから下側に離間して位置するネックリング部５３が径方向外側に向けて突出するように形成されている。
【００１９】
次に、キャップ１の装着方法について説明する。まず、図２に示すように、打栓用受治具Ｔをネックリング部５３と容器５１の肩部５４との間に配置する。そして、キャップ１を口部５２に押し込む。このとき、打栓用受治具Ｔがネックリング部５３と肩部５４との間に配置されているため、キャップ１を介して口部５２に加わる力がネックリング部５３の下側に配置されている打栓用受治具Ｔによって受け止められる。これにより、打栓時の力が容器５１に加わって容器５１が変形することが抑制される。
また、被覆筒部１３が装着筒部２１の下端から下側に向けて過度に突出せずにネックリング部５３を露出させるため、キャップ１の打栓時に被覆筒部１３が打栓用受治具Ｔに接触してキャップ１の打栓を阻害することが回避される。
【００２０】
続いて、被覆筒部１３を下側に向けて押し込んで容易破断部４３を破断し、被覆筒部１３を下側に向けて押し込む。容易破断部４３を破断すると、被覆筒部１３は、装着筒部２１の外周面に沿って下側に向けて移動し、ネックリング部５３を被覆する。このとき、容易破断部４３を破断する際に加える力がキャップ１の打栓時にキャップ１に加える力よりも十分に小さいため、容易破断部４３は、上述のような打栓用受治具Ｔを用いることなく破断される。これにより、容易破断部４３の破断時に加えた力によって容器５１が変形することが抑制される。
【００２１】
そして、被覆筒部１３は、上端部が外筒部２５の上端に当接することで外筒部２５に係止される。また、被覆筒部１３の内周面に形成されている溝条部４４は、外筒部２５の外周面に形成されている凸条部２８と係合する。このとき、被覆筒部１３は、外筒部２５に外嵌されて外筒部２５を径方向内側に向けて押圧する（締め付ける）。これにより、装着筒部２１が口部５２により強固に嵌合される。以上のようにして、キャップ１を口部５２に装着する。
【００２２】
以上のようにして口部５２に装着されたキャップ１は、例えば一方の手で被覆筒部１３の外周面を支えた状態で他方の手で蓋体部１２を回転させることにより、蓋体部１２が本体筒部１１から取り外される。このとき、外筒部２５の凸条部２８と被覆筒部１３の溝条部４４とが係合しているため、被覆筒部１３は、本体筒部１１に対して相対的に回転しない。これにより、一方の手で被覆筒部１３を支えた場合であっても、蓋体部１２は、被覆筒部１３を共回りさせることなく本体筒部１１に対して相対的に回転し、取り外される。その後、プルリング３３を引っ張って薄肉部３５を破断することで、プルリング３３と共に封止板３４を栓体部２２から分離する。これにより、注出口３２Ａは、開口される。
【００２３】
次に、キャップ１の取り外し方法について説明する。まず、被覆筒部１３を上側に移動させて取り外す。これにより、外筒部２５が被覆筒部１３によって径方向内側に向けて押圧されなくなるため、装着筒部２１と口部５２との嵌合が弱まる。そして、本体筒部１１を蓋体部１２と共に口部５２から取り外す。以上のようにして、容器５１の口部５２に装着されたキャップ１を取り外す。
【００２４】
このような構成のキャップ１及びキャップ付容器５０によれば、キャップ１の装着後に容易破断部４３を破断して被覆筒部１３でネックリング部５３を覆うことで、キャップ１が装着された容器５１の外観をより向上させることができる。
また、被覆筒部１３が装着筒部２１をネックリング部５３に向けて径方向内側に押圧するように装着筒部２１に外嵌されることで、口部５２に対するキャップ１の嵌合がより強固になる。
さらに、キャップ１を装着した後に蓋体部１２を本体筒部１１から取り外すときに、被覆筒部１３が蓋体部１２と共に回転することを防止できる。
【００２５】
なお、本発明は上記実施形態に限定されるものではなく、本発明の趣旨を逸脱しない範囲において種々の変更を加えることができる。
例えば、容易破断部は、薄肉とすることによって形成されているが、打栓時にキャップに加わる力よりも小さい力で破断することができる構成であればよく、ブリッジ（複数の連結片）など他の構成であってもよい。
また、被覆筒部は、ネックリング部を被覆しているときに装着筒部を径方向内側に向けて押圧するように外嵌されているが、装着筒部に外嵌されない構成としてもよい。
さらに、被覆筒部は、容易破断部を破断させたときに下端部を容器の肩部上に当接させることによってネックリングと肩部との間を被覆してもよい。これにより、キャップ付容器の外観をさらに向上させることができる。
また、蓋体部は、本体筒部に対して着脱自在に螺合する構成となっているが、蓋体部を本体筒部に対してスナップ係合させる構成など、他の構成であってもよい。この場合、蓋体部を取り外す際に蓋体部が被覆筒部と共に蓋体部の回転方向で回転することを防止するための凸条部及び溝条部を形成しなくてもよい。
【産業上の利用可能性】
【００２６】
この発明によれば、外観をさらに良好にすることが可能なキャップ及びキャップ付容器に関して、産業上の利用可能性が認められる。
【符号の説明】
【００２７】
１  キャップ、１１  本体筒部、１２  蓋体部、１３  被覆筒部、２１  装着筒部、２８  凸条部（第１係合部）、３２Ａ  注出口、４３  容易破断部、４４  溝条部（第２係合部）、５０  キャップ付容器、５１  容器、５２  口部、５２Ａ  開口端、５３  ネックリング部、Ｏ  キャップ軸
【図１】
2010274961.tif 000003
【図２】
2010274961.tif 000004
【図３】
2010274961.tif 000005